(57)【特許請求の範囲】
【請求項１】
建築床面上に置かれて床パネルを支持するものであって、
上方に突出して、前記床パネルの底面に開口させたパネル側凹部に嵌まり合う突出部と、
前記底面に開口して、隣り合う床パネル用支持脚から突出させた結合アームに係り合う係り合い凹部とを設けてなり、
他の支持脚の突出部に前記係り合い凹部を嵌合させて当該他の支持脚上に積み重ねられるようにしたことを特徴とする床パネル用支持脚。
【請求項２】
結合アームが一体に設けてある請求項１記載の床パネル用支持脚。
【請求項３】
結合アームが、平板状をなすアーム本体と、このアーム本体の先端部に設けられ前記係り合い凹部に嵌合可能な係り合い凸部とを備えたものである請求項１又は２記載の床パネル用支持脚。
【請求項４】
コンクリート成形体と、このコンクリート成形体の上面を覆う樹脂製上部被覆板と、該コンクリート成形体の下面を覆う樹脂製下部被覆板とを具備し、
上部被覆板の一部を上方に一体に突出させて前記突出部を形成するとともに、下部被覆板の一部を上方に突出させてコンクリート成形体にめりこませ、下部被覆板の下面に開口する前記係り合い凹部を形成した請求項１、２又は３記載の床パネル用支持脚。
【請求項５】
結合アームが、下部被覆板に一体に設けたものである請求項４記載の床パネル用支持脚。
【請求項６】
複数の支持脚を連結機構により互いに連結してなり、建築床面上に置かれて床パネルを支持するものであって、
上方に突出して、前記床パネルの底面に開口させたパネル側凹部に嵌まり合う突出部と、
前記底面に開口して、隣接する床パネル用支持ユニットから突出させた結合アームに係り合う係り合い凹部とを設けてなり、
他の支持ユニットの突出部に前記係り合い凹部を嵌合させて当該他の支持ユニット上に積み重ねられるようにしたことを特徴とする床パネル用支持ユニット。
【発明の詳細な説明】
【０００１】
【発明の属する技術分野】
本発明は、二重床構造に好適に用いられ、建築床面上に起立して床パネルを支持する床パネル用支持脚及び床パネル用支持ユニットに関する。
【０００２】
【従来の技術】
従来、二重床を簡単な施工で形成できる置敷タイプの二重床構造として、可撓性のある合成樹脂製のベース板や連結材により複数の支持脚を連結してなる平面視矩形状をなす支持ユニットを建築床面上に複数敷き詰め、その上に床パネルを敷いていくようにしたものが知られている。このようなものは、支持ユニットを部屋の隅を起点にして順に隣接させて敷き詰めていくことにより簡単に位置決めができるうえ、建築床面の不陸にも、その可撓性により対応できるので、上述した施工容易性を発揮しうる。
【０００３】
【発明が解決しようとする課題】
ところが従来、このような支持ユニットや支持脚を保管等する場合には、単にそれらを上下に積み重ねるだけであったため、多数を積み重ねることができず、収納効率の点で不具合が生じ得た。かといって、それらを多数積み重ねるために専用の係り合い部を設けるのでは、コスト的にも構造的にも不利なものとなる。
【０００４】
ところで、前記支持ユニット同士を敷設する際の位置決めや、支持脚上に床パネルを置く際の位置決めのために、係り合い部を設けることがしばしば行われている。
【０００５】
そこで本発明は、床パネルを置く際の位置決めのために、支持脚又は支持ユニットの上方に突出する突出部を設けるとともに、隣接する支持脚又は支持ユニット同士を位置決めするために、底面に開口する係り合い凹部を設けておき、これら突出部と係り合い凹部とに支持脚又は支持ユニット同士を上下に積み重ねる際の位置決め機能を兼ねさせるようにしたものである。
【０００６】
【課題を解決するための手段】
すなわち、本発明に係る床パネル用支持脚は、建築床面上に置かれて床パネルを支持するものであって、上方に突出して、前記床パネルの底面に開口させたパネル側凹部に嵌まり合う突出部と、前記底面に開口して、隣接する床パネル用支持脚から突出させた結合アームに係り合う係り合い凹部とを設けてなり、他の支持脚の突出部に前記係り合い凹部を嵌合させて当該他の支持脚上に積み重ねられるようにしたことを特徴とする。
【０００７】
このようなものであれば、支持脚間の連結及び床パネルとの位置決めに用いられる突出部及び係り合い凹部を互いに嵌合可能に構成しているので、複数の支持脚を安定して上下にスタッキングすることができる。
【０００８】
そしてその結果、搬送の利便性や保管における収納効率等を向上させることができるようになる。また、これら突出部と係り合い凹部とは、スタッキング専用に設けたものではないため、コストや製造等の点での不具合発生も防止できる。
【０００９】
収納や搬送の利便性等に寄与するだけでなく、二重床敷設時の施工容易性にも寄与するには、各部材をできるだけ一体化することが好ましい。そのためには、結合アームを一体に設けておくことが考えられる。
【００１０】
具体的には、結合アームが、平板状をなすアーム本体と、このアーム本体の先端部に設けられ前記係り合い凹部に嵌合可能な係り合い凸部とを備えたものであることが望ましい。
【００１１】
製造の容易性や不燃性等の要求を満たすには、コンクリート成形体と、このコンクリート成形体の上面を覆う樹脂製上部被覆板と、該コンクリート成形体の下面を覆う樹脂製下部被覆板とを具備し、上部被覆板の一部を上方に一体に突出させて前記突出部を形成するとともに、下部被覆板の一部を上方に突出させてコンクリート成形体にめりこませ、下部被覆板の下面に開口する前記係り合い凹部を形成したものが好ましい。
【００１２】
そしてこのような場合には、結合アームを、下部被覆板に一体に設けておくことが好適である。
【００１３】
上記発明と同様の効果を奏し得るものとしては、複数の支持脚を連結機構により互いに連結してなり、建築床面上に置かれて床パネルを支持するものであって、上方に突出して、前記床パネルの底面に開口させたパネル側凹部に嵌まり合う突出部と、前記底面に開口して、隣接する床パネル用支持ユニットから突出させた結合アームに係り合う係り合い凹部とを設けてなり、他の支持ユニットの突出部に前記係り合い凹部を嵌合させて当該他の支持ユニット上に積み重ねられるようにしたものを挙げることができる。
【００１４】
【発明の実施の形態】
以下、本発明の一実施形態について図面を参照して説明する。
【００１５】
図１は、本実施形態に係る二重床構造を示している。この二重床構造は、４つの支持脚１、１’、１”をそれぞれが正方形の頂点に対応する位置に配置し、正方形の辺に対応する部位にそれぞれ配置した４つの連結材２により連結して支持ユニット４を構成し、この支持ユニット４を隣接させるようにして建築床面Ｆに敷き詰めるとともに、各支持ユニット４上に床パネル３を載せ置くようにしたものである。
【００１６】
各部を詳述すると、支持脚１は、図３〜図７に示すように、円柱体を縦方向に１／４に分割した形状を概略なし、互いに略直交する２つの平面状起立面１ａを有する支持脚本体１３を具備するものであり、この支持脚本体１３の上面たる床パネル支持面１３ａから円柱状をなす突出部１１を上方に突出させるとともに、その底面に係り合い凹部１２を開口させてなる。なお、以降この支持脚１を第１の支持脚と称する。
【００１７】
本実施形態では、この他にさらに２種類の支持脚１’、１”を設けている。第２の支持脚１’は、前記第１の支持脚１と同様の構成であって、その平面状起立面１ａの一方から結合アーム５を突出させたものである。第３の支持脚１”は、前記支持脚１と同様の構成であって、前記平面状起立面１ａの両方からそれぞれ結合アーム５を突出させたものである。
【００１８】
支持脚本体１３は、図５〜図１１に示すように、コンクリート成形体１３１を主体として構成したもので、このコンクリート成形体１３１に加えて、その上面を覆う薄肉の樹脂製上部被覆板１３２と、同コンクリート成形体１３１の下面を覆う薄肉の樹脂製下部被覆板１３３とからなる。
【００１９】
上部被覆板１３２は、特に図８、図９に示すように、その上面を床パネルに直接接触する床パネル支持面１３ａとするものであり、緩衝材としての役割も果たす。そしてその下面からはコンクリート成形体１３１に被着するためのアンカＡＫを一体に突出させている。前記突出部１１は、この上部被覆板１３２の一部を上方に突出させ、その内部にコンクリートを充満させて形成したものである。
【００２０】
下部被覆板１３３は、特に図１０、図１１に示すように、その下面を建築床面Ｆに直接接触させるものであり、緩衝材としての役割も果たす。そして、その上面からはコンクリート成形体１３１に被着するためのアンカＡＫを一体に突出させている。前記係り合い凹部１２は、この下部被覆板１３３の一部を上方に突出させてコンクリート成形体１３１にめりこませ、下部被覆板１３３の下面に開口するように形成した有底のものである。なお図中符号に示す切欠部Ｋは、後述する連結材２を通すための収容溝を形成するためのものである。
【００２１】
結合アーム５は、図３、図１１等に示すように、前記起立面１ａの下端から側方に突出する板状のアーム本体５１と、前記係り合い凹部１２に嵌合可能であってこのアーム本体５１の先端部から上方に突出する係り合い凸部５２とを具備するもので、前記下部被覆板１３３と一体成形された樹脂製のものである。
【００２２】
連結材２は、特に図１２、図１３に示すように、帯状をなす連結材本体２１とこの連結材本体２１の表面を被覆する絶縁性樹脂膜２２とからなるものであって、その側縁部を内方に屈曲させるというヘミング加工を施してある。また、その各端部を板面と直交する方向に複数回屈曲させて、全体として上方に延びる折り曲げ部２ａを形成している。この連結材本体２１は、例えば金属バネ鋼を素材として用いたもので、長手方向に伸縮不能であって、板面と直交する方向に湾曲可能かつ弾性を有するようにしたものである。
【００２３】
このような構成の支持脚１、１’、１”及び連結材２を用いて構成した支持ユニット４において、各支持脚１、１’、１”は、図３、図４等に示すように、平面状をなす起立面１ａが前記正方形の辺と平行をなして外方を向くようにそれぞれ配置してある。そして第１の支持脚１及び第３の支持脚１”をそれぞれ一つずつ使用して、それぞれを互いに対角に配置するとともに、第２の支持脚１’を２つ使用し、それぞれを互いに対角に配置するようにしている。なお、第２の支持脚１’は、その結合アーム５が第１の支持脚１と反対方向に延びるように配置してある。
【００２４】
また、各支持脚１、１’、１”と連結材２とは、連結材２の折り曲げ部２ａを含む各端部を、支持脚１、１’、１”のコンクリート成形体１３１の中に埋め込んで抜脱不能に結合している。支持脚１、１’、１”の下面と連結材２の下面とは面一となるように設定してあり、そのために支持脚１、１’、１”の下面には連結材２の端部を収容するための前記収容溝が開口させてある。
【００２５】
床パネル３は、図１に示すように、平面視、この支持ユニット４の外形と同一の大きさを有する正方形状をなすもので、２つの直角三角形状をなす床パネル要素７の斜辺部同士を対向させることにより形成してある。
【００２６】
各床パネル要素７は、平面視直角三角形状をなす底板の側縁から側板を屈曲起立させてなる上面を開口させた板金製の筐体７１と、この筐体７１の内部に充填されたコンクリート体７２とからなるものである。
【００２７】
斜辺部分に対応する側板の上端縁からは一体に外方に向かって屈曲させた屈曲部８がそれぞれ設けてあり、各床パネル要素７の屈曲部８同士を係り合わせて床パネル要素７同士を緩やかに連結している。また、床パネル３を形成した状態では、屈曲部８の存在により前記側板同士が離間して、床パネル３の底面に開口する図示しない位置決め溝が形成されるようにしてある。この位置決め溝の幅寸法は、前記突出部１１の外径寸法と同一又は若干大きいものである。
【００２８】
次に、本二重床構造を利用して実際に施工する場合の手順について説明する。
【００２９】
まず支持ユニット４を図２に示すように部屋の隅部から順に敷き詰めていく。具体的には、最初に敷く支持ユニット４を、部屋の隅部に第１の支持脚１が位置するように配置する。次に、その支持ユニット４に隣接するように他の支持ユニット４を配置していく。この時、起立面１ａ同士が隣接する支持脚１、１’、１”同士において、一方の支持脚１、１’、１”の底面に設けた係り合い凹部１２と、他方の支持脚１、１’、１”から突出させた前記結合アーム５の係り合い凸部５２とを係り合わせるようにする。このことにより、支持ユニット４同士が結合されると同時に位置決めされる。なお、支持ユニット４だけでは、部屋の大きさや形状により、部屋の端に敷き詰められない隙間ができる場合があるが、その部分は、図示しない調整部材を利用して埋めるようにしている。
【００３０】
その後、図１に示すように、各支持ユニット４にそれぞれ床パネル３を載せていく。この時、床パネル３の底面に開口させた図示しないパネル側凹部及び前記位置決め溝に支持脚１、１’、１”の突出部１１を嵌め込む。このことにより支持ユニット４に対する床パネル３の正確な位置決めを行うことができる。
【００３１】
しかして、本実施形態では、各支持脚１、１’、１”において、突出部１１を係り合い凹部１２の直上に位置させるとともに、係り合い凹部１２に嵌合可能な大きさを有するものとして、図１４、図１５に示すように、一の支持脚１、１’、１”の突出部１１に他の支持脚１、１’、１”の前記係り合い凹部１２を嵌合させて一の支持脚１、１’、１”上に他の支持脚１、１’、１”を積み重ねられるようにしている。
【００３２】
したがって、本実施形態によれば、同図１４、図１５に示すように、二重床施工時の支持ユニット４間の連結及び支持ユニット４と床パネル３との位置決めに用いられる前記突出部１１と係り合い凹部１２との嵌合を利用して、複数の支持ユニット４を安定して上下にスタッキングすることができる。
【００３３】
そしてその結果、搬送時等における利便性を向上させることができるようになる。
【００３４】
また、これら突出部１１と係り合い凹部１２とは、スタッキング専用に設けたものではないため、コストアップや製造の複雑化を招くこともない。
【００３５】
なお、本発明は上記実施形態に限られるものではない。例えば、図１６に示すように、支持ユニット４をベース板Ｂとそのベース板Ｂ上に複数並べた支持脚１とからなるものとし、所定の支持脚１から上方に突出する突出部１１を設けるとともに、ベース板Ｂの底面には係り合い凹部１２を設けておき、さらにベース板１の側面から結合アーム５を側方に突出させるようにしたものなどが考えられる。このようなものでも、隣接する支持ユニット４同士の位置決めが行えるとともに、その位置決め機構を利用して上下に安定して多数の支持ユニット４のスタッキングができる。なお、図中前記実施形態に対応する部材には同一の符号を付している。
【００３６】
また、支持ユニット４は正方形状のみならず矩形状でもよいし、支持脚あるいは連結材の形状や素材など種々変形可能である。
【００３７】
【発明の効果】
以上に詳述したように本発明によれば、二重床施工時の支持脚間の連結及び床パネルとの位置決めに用いられる突出部と係り合い凹部とを嵌合可能に構成しているので、複数の支持脚又は支持ユニットを安定して上下にスタッキングすることができる。
【００３８】
そしてその結果、搬送の利便性や保管における収納効率等を向上させることができるようになる。また、これら突出部と係り合い凹部とは、スタッキング専用に設けたものではないため、コストアップや製造の複雑化を招くこともない。
【図面の簡単な説明】
【図１】本発明の一実施形態における二重床構造の全体斜視図。
【図２】同実施形態における支持ユニットを敷き詰めた状態を示す斜視図。
【図３】同実施形態における支持ユニットの全体斜視図。
【図４】同実施形態における支持ユニットの全体平面図。
【図５】同実施形態における支持ユニットの全体側面図。
【図６】同実施形態における第３の支持脚の側面図。
【図７】同実施形態における第３の支持脚の側断面図。。
【図８】同実施形態における上部被覆板の平面図。
【図９】同実施形態における上部被覆板の側面図。
【図１０】同実施形態における下部被覆板の平面図。
【図１１】同実施形態における下部被覆板の側面図。
【図１２】同実施形態における連結材の側断面図。
【図１３】同実施形態における連結材の縦断面部分拡大図。
【図１４】同実施形態における支持ユニットのスタッキング状態を示す斜視図。
【図１５】同実施形態における支持ユニットのスタッキング状態を示す側面図。
【図１６】本発明の他の実施形態における支持ユニットを示す全体斜視図。
【符号の説明】
Ｆ・・・建築床面
１、１’、１”・・・支持脚
１１・・・突出部
１２・・・係り合い凹部
１３１・・・コンクリート成形体
１３２・・・上部被覆板
１３３・・・下部被覆板
３・・・床パネル
３１・・・パネル側凹部
４・・・支持ユニット
５・・・結合アーム
５１・・・アーム本体
５２・・・係り合い凸部
【図１】
0003776309.tif 000002
【図２】
0003776309.tif 000003
【図３】
0003776309.tif 000004
【図４】
0003776309.tif 000005
【図５】
0003776309.tif 000006
【図６】
0003776309.tif 000007
【図７】
0003776309.tif 000008
【図８】
0003776309.tif 000009
【図９】
0003776309.tif 000010
【図１０】
0003776309.tif 000011
【図１１】
0003776309.tif 000012
【図１２】
0003776309.tif 000013
【図１３】
0003776309.tif 000014
【図１４】
0003776309.tif 000015
【図１５】
0003776309.tif 000016
【図１６】
0003776309.tif 000017